【手続補正書】
【提出日】平成19年7月27日(2007.7.27)
【手続補正１】
【補正対象書類名】明細書
【補正対象項目名】請求項１
【補正方法】変更
【補正の内容】
【請求項１】  カイラルスメクティック液晶混合物を含有するアクティブマトリックスディスプレイであって、この液晶混合物が、Ｉ−Ｎ* −ＳｍＣ* の相配列、動作温度範囲で＜４０ｎＣ／ｃｍ2 の自発分極値およびネマティック相またはコレステリック相で少なくとも１種の温度において＞１０μｍのピッチを有し、かつ下記物質群（Ａ）、（Ｂ）および（Ｃ）のうちの少なくとも２種のそれぞれからの少なくとも１種の化合物および液晶混合物に基づき０．１〜５０重量％の下記物質群（Ｄ）からの１種または２種以上の化合物を含有することを特徴とする、前記アクティブマトリックスディスプレイ：
【化１】
2001081466.tif 000001
各式中、
Ｒ1 、Ｒ2 、Ｒ3 、Ｒ4 、Ｒ5 、Ｒ6 は、それぞれ相互に独立して、水素であるか、または炭素原子２〜１８個を有する直鎖状または分枝鎖状アルキル基またはアルケニル基であり（この基は不斉炭素原子を有するか、または有していない）、この基中に存在する１個の−ＣＨ2 −基または非末端の隣接していない２個の−ＣＨ2 −基は、−Ｏ−により置き換えられていてもよく、および／または１個の−ＣＨ2 −基は、−Ｃ≡Ｃ−または−Ｓｉ（ＣＨ3 ）2 −により置き換えられていてもよく、またこの基中に存在する１個または２個以上の水素原子は、Ｆにより置き換えられていてもよい、ただしヘテロ原子は隣接することはできず、および各場合に、Ｒ1 、Ｒ2 またはＲ3 、Ｒ4 またはＲ5 、Ｒ6 の１個のみがそれぞれ、水素原子であることができ；
Ｙ1 、Ｙ2 、Ｙ3 、Ｙ4 、Ｙ5 、Ｙ6 は、それぞれ相互に独立して、−Ｏ−、−ＯＣ（＝Ｏ）−、−Ｃ（＝Ｏ）Ｏ−、−ＯＣ（＝Ｏ）Ｏ−または単結合であり；
Ｚ1 は、−ＯＣ（＝Ｏ）−または−Ｃ（＝Ｏ）Ｏ−であり；
【化２】
2001081466.tif 000002
は、フェニレン−１，４−ジイル（この基は、未置換であるか、または置換基として１個、２個または３個のＦを有する）、ピリミジン−２，５−ジイル（この基は、未置換であるか、または置換基として１個のＦを有する）、ピリジン−２，５−ジイル（この基は、未置換であるか、または置換基として１個のＦを有する）、ピリダジン−２，５−ジイル（この基は、未置換であるか、または置換基として１個のＦを有する）であり；
【化３】
2001081466.tif 000003
は、フェニレン−１，４−ジイル（この基は、未置換であるか、または置換基として１個、２個または３個のＦを有する）、ピリミジン−２，５−ジイル（この基は、未置換であるか、または置換基として１個のＦを有する）、ピリジン−２，５−ジイル（この基は、未置換であるか、または置換基として１個のＦを有する）、ピリダジン−２，５−ジイル（この基は、未置換であるか、または置換基として１個のＦを有する）であり；
ただし、環Ａ、Ｂの１個は、上記窒素ヘテロ環の１種であり；
【化４】
2001081466.tif 000004
は、それぞれ相互に独立して、フェニレン−１，４−ジイル（この基は、未置換であるか、または置換基として１個、２個または３個のＦを有する）であり、
ただし、環Ｃ、Ｄ、Ｅの少なくとも１個は、フルオロフェニレン−１，４−ジイルまたはオルト−ジフルオロフェニレン−１，４−ジイルであり；
【化５】
2001081466.tif 000005
は、それぞれ相互に独立して、フェニレン−１，４−ジイル（この基は、未置換であるか、または置換基として１個、２個または３個のＦを有する）、ピリミジン−２，５−ジイル（この基は、未置換であるか、または置換基として１個のＦを有する）、ピリジン−２，５−ジイル（この基は、未置換であるか、または置換基として１個のＦを有する）、ピリダジン−２，５−ジイル（この基は、未置換であるか、または置換基として１個のＦを有する）であり、
ただし、環Ｆ、Ｇ、Ｋの１個は、上記窒素ヘテロ環の１種であり；
Ｒ20、Ｒ21は、それぞれ相互に独立して、
ａ）水素であるか、または炭素原子２〜１２個を有するアルキル基、アルケニル基、アルキルオキシ基またはアルケニルオキシ基であり、この基中に存在する１個の−ＣＨ2 −基または隣接していない２個の−ＣＨ2 −基は、−ＯＣ（＝Ｏ）−、−（Ｏ＝）Ｃ−Ｏ−、−Ｓｉ（ＣＨ3 ）2 −またはシクロプロパン−１，２−ジイルにより置き換えられていてもよく、またこの基中に存在する１個または２個以上の水素原子は、Ｆにより置き換えられていてもよい、もしくは
ｂ）少なくとも１個の不斉炭素原子を有する基であり、この基は、炭素原子３〜１６個を有するアルキル基（この基中に存在する１個の−ＣＨ2 −基または隣接していない２〜４個の−ＣＨ2 −基は、−Ｏ−、−ＯＣ（＝Ｏ）−または−（Ｏ＝）Ｃ−Ｏ−により置き換えられていてもよく、また不斉炭素原子の置換基の１個は、−ＣＦ3 、−ＯＣＨ3 、−ＣＨ3 、Ｃｌ、Ｆ、ＣＮまたは−ＯＣＦ3 である）の一部であり、またはこの基は、３−または７−員ヘテロ環（この環中に存在する１個の−ＣＨ2 −基または隣接していない２個の−ＣＨ2 −基は、−Ｏ−により置き換えられていてもよく、または１個の−ＣＨ2 −基は、−ＯＣ（＝Ｏ）−または−（Ｏ＝）Ｃ−Ｏ−により置き換えられていてもよい）の一部であり、
ただし、ｂ）で定義されている基は、Ｒ20、Ｒ21の少なくとも１個中に存在する少なくとも１個の不斉炭素原子を有し、および不斉炭素原子を有する基が、アルキル鎖の一部である場合、Ｍ18またはＭ19は、単結合であり；
Ａ14、Ａ15、Ａ16、Ａ17は、それぞれ相互に独立して、１，４−フェニレン（この基は、未置換であるか、または置換基として１個または２個のＦまたはＣｌを有する）、１，３−フェニレン（この基は、未置換であるか、置換基として１個または２個のＦまたはＣｌを有する）、シクロヘキサン−１，４−ジイル（この基は、未置換であるか、または置換基として１個のＦまたはＣＮを有する）、シクロヘキシ−１−エン−１，４−ジイル、１−フルオロシクロヘキシ−１−エン−１，４−ジイル、シクロヘキシ−２−エン−１，４−ジイル、２−オキソシクロヘキサン−１，４−ジイル、２−シクロヘキセン−１−オン−３，６−ジイル、１−アルキル−１−シラシクロヘキサン−１，４−ジイル、ビシクロ［２．２．２］オクタン−１，４−ジイル、スピロ［４，５］デカン−２，８−ジイル、スピロ［５，５］ウンデカン−３，９−ジイル、インダン−２，５−ジイル、ナフタレン−２，６−ジイル（この基は、未置換であるか、または置換基として１個または２個のＦまたはＣＮを有する）、ピリミジン−２，５−ジイル（この基は、未置換であるか、または置換基として１個のＦを有する）、ピリジン−２，５−ジイル（この基は、未置換であるか、または置換基として１個のＦを有する）、ピラジン−２，５−ジイル（この基は、未置換であるか、または置換基として１個のＦを有する）、ピリダジン−３，６−ジイル、キノリン−２，６−ジイル、キノリン−３，７−ジイル、イソキノリン−３，７−ジイル、キナゾリン−２，６−ジイル、キノキサリン−２，６−ジイル、１，３−ジオキサン−２，５−ジイル、チオフェン−２，４−ジイル、チオフェン−２，５−ジイル、１，３−チアゾール−２，４−ジイル、１，３−チアゾール−２，５−ジイル、イソキサゾール−３，５−ジイル、ベンズチアゾール−２，６−ジイル（この基は、未置換であるか、または置換基として１個または２個以上のＦを有する）、ベンズチアゾール−２，５−ジイル（この基は、未置換であるか、または置換基として１個または２個以上のＦを有する）、１，３，４−チアジアゾール−２，５−ジイル、ピペリジン−１，４−ジイルまたはピペラジン−１，４−ジイルであり；
Ｍ14、Ｍ15、Ｍ16、Ｍ17は、それぞれ相互に独立して、単結合、−ＯＣ（＝Ｏ）−、−（Ｏ＝）Ｃ−Ｏ−、−ＯＣＨ2 −、−ＣＨ2 −Ｏ−、−ＣＨ2 ＣＨ2 −、−（ＣＨ2 ）4 −または−Ｃ≡Ｃ−であり；
Ｍ18、Ｍ19は、それぞれ相互に独立して、−ＯＣ（＝Ｏ）−、−（Ｏ＝）Ｃ−Ｏ−、−ＯＣＨ2 −、−ＣＨ2 −Ｏ−または単結合であり；
ａ、ｂ、ｃ、ｄは、それぞれ相互に独立して、０または１である、ただし、１≦（ａ＋ｂ＋ｃ＋ｄ）≦３であり、また（−ＡX −ＭX −）は、相当する指数が０である場合、単結合である。
【手続補正２】
【補正対象書類名】明細書
【補正対象項目名】請求項５
【補正方法】変更
【補正の内容】
【請求項５】  液晶混合物が、少なくとも２種の式Ａ２ａで表わされる化合物を含有する、請求項４に記載のアクティブマトリックスディスプレイ：
【化６】
2001081466.tif 000006
式中、Ｒ1 およびＲ2 中の炭素原子の合計は、１４〜２２である。
【手続補正３】
【補正対象書類名】明細書
【補正対象項目名】請求項７
【補正方法】変更
【補正の内容】
【請求項７】  請求項１〜６のいずれかに記載の液晶混合物。
【手続補正４】
【補正対象書類名】明細書
【補正対象項目名】００１７
【補正方法】変更
【補正の内容】
【００１７】
Ｒ20、Ｒ21は、それぞれ相互に独立して、
ａ）水素であるか、または炭素原子２〜１２個を有するアルキル基、アルケニル基、アルキルオキシ基またはアルケニルオキシ基であり、この基中に存在する１個の−ＣＨ2 −基または隣接していない２個の−ＣＨ2 −基は、−ＯＣ（＝Ｏ）−、−（Ｏ＝）Ｃ−Ｏ−、−Ｓｉ（ＣＨ3 ）2 −またはシクロプロパン−１，２−ジイルにより置き換えられていてもよく、またこの基中に存在する１個または２個以上の水素原子は、Ｆにより置き換えられていてもよい、もしくは
ｂ）少なくとも１個の不斉炭素原子を有する基であり、この基は、炭素原子３〜１６個を有するアルキル基（この基中に存在する１個の−ＣＨ2 −基または隣接していない２〜４個の−ＣＨ2 −基は、−Ｏ−、−ＯＣ（＝Ｏ）−または−（Ｏ＝）Ｃ−Ｏ−により置き換えられていてもよく、また不斉炭素原子の置換基の１個は、−ＣＦ3 、−ＯＣＨ3 、−ＣＨ3 、Ｃｌ、Ｆ、ＣＮまたは−ＯＣＦ3 である）の一部であるか、またはこの基は、３−または７−員ヘテロ環（この環中に存在する１個の−ＣＨ2 −基または隣接していない２個の−ＣＨ2 −基は、−Ｏ−により置き換えられていてもよく、または１個の−ＣＨ2 −基は、−ＯＣ（＝Ｏ）−または−（Ｏ＝）Ｃ−Ｏ−により置き換えられていてもよい）の一部であり、